(57)【特許請求の範囲】
【請求項１】
時刻情報を配信する時刻情報配信装置と遊技機の稼動情報を管理する遊技機管理装置とが通信網によって互いに情報を送受信可能に接続された時刻情報配信システムであって、
前記時刻情報配信装置は、
標準時刻調整用情報に基づいて時刻情報を調整する時刻情報調整手段と、
調整した時刻情報を保持する時刻情報保持手段と、
配信用時刻情報を供給するためのシステムクロック部と、
前記時刻情報保持手段の保持情報に基づいて、前記システムクロック部が供給する配信用時刻情報を調整するシステムクロック調整手段と、
前記調整された配信用時刻情報を前記遊技機管理装置からの時刻情報要求に応答して配信する時刻情報供給手段と、を備え、
前記遊技機管理装置は、
配信された配信時刻情報が第１の所定時を超えるものである場合、取得した稼動情報を装置操作によって変更不能にすると共に、第２の所定時を迎えた場合には、変更不能にしたロック状態を解除するロック処理手段を備えたことを特徴とする時刻情報配信システム。
【請求項２】
請求項１に記載の時刻情報配信システムにおいて、
前記時刻情報供給手段は、
前記遊技機管理装置へのダミーパケット要求時の配信時刻情報と前記遊技機管理装置からのダミーパケット応答時の配信時刻情報との両配信時刻情報の差の２分の１に、配信用時刻情報を加えたものを配信する手段であることを特徴とする時刻情報配信システム。
【請求項３】
請求項１に記載の時刻情報配信システムにおいて、
前記時刻情報供給手段は、
前記遊技機管理装置に設定されているＩＰアドレスへのダミーパケット要求時の配信時刻情報と前記ＩＰアドレスからのダミーパケット応答時の配信時刻情報との両配信時刻情報の差の２分の１の平均値を所定数回のパケット要求、応答を繰り返して求め、この求めた平均値に配信用時刻情報を加えたものを配信する手段であることを特徴とする時刻情報配信システム。
【発明の詳細な説明】
【０００１】
【発明の属する技術分野】
本発明は、時刻情報を配信する時刻情報配信装置と遊技機の稼動情報を管理する遊技機管理装置とが通信網によって互いに情報を送受信可能に接続された時刻情報配信システムに関する。
【０００２】
【従来の技術】
近年、ＩＴ技術が進展するにつれて、より様々な情報処理装置が通信網を介して通信可能に接続されつつあり、これらの中には高速通信網で結ばれるもの等が提案され始めている。遊技場に配設される遊技機の稼動情報管理用のコンピュータ装置（遊技機管理装置）等もこのような通信網に接続されて所要の情報を他の端末装置等と通信可能に接続可能とされている。そして、この遊技機管理装置等にあっては、自身内部のシステムクロックから供給される時刻情報に基づいて所要の処理が実行されるように構成されている。
【発明が解決しようとする課題】
しかしながら、このシステムクロックが正確なものでないと、換言すれば、装置内に供給される時刻情報が正確なものではない場合には、遊技場の開店や閉店時に行うべき処理を正確なタイミングで行うことができないといった問題があった。また、このような遊技機管理装置に限らず、様々な情報処理装置にあっても、自身内部から正確な時刻情報が供給されるように調整することが極めて難しく、通常の手作業によれば１乃至数秒程度ずれてしまい、そのため正確な動作が行われなくなることが懸念される場合もある。
【０００３】
本発明は、このような従来の課題を解決するためになされたもので、正確な時刻情報を配信するようにした時刻情報配信システムを提供することを目的とする。
【課題を解決するための手段】
上記目的を達成するため、時刻情報を配信する時刻情報配信装置と遊技機の稼動情報を管理する遊技機管理装置とが通信網によって互いに情報を送受信可能に接続された時刻情報配信システムであって、
前記時刻情報配信装置は、
標準時刻調整用情報に基づいて時刻情報を調整する時刻情報調整手段と、
調整した時刻情報を保持する時刻情報保持手段と、
配信用時刻情報を供給するためのシステムクロック部と、
前記時刻情報保持手段の保持情報に基づいて、前記システムクロック部が供給する配信用時刻情報を調整するシステムクロック調整手段と、
前記調整された配信用時刻情報を前記遊技機管理装置からの時刻情報要求に応答して配信する時刻情報供給手段と、を備え、
前記遊技機管理装置は、
配信された配信時刻情報が第１の所定時を超えるものである場合、取得した稼動情報を装置操作によって変更不能にすると共に、第２の所定時を迎えた場合には、変更不能にしたロック状態を解除するロック処理手段を備えたことを特徴とするようにした。
【０００４】
この発明においては、時刻情報調整手段によって調整した正確な時刻情報を保持させておき、システムクロック調整手段がこの保持情報に基づいて配信用時刻情報を調整し、時刻情報供給手段が、調整された配信用時刻情報を遊技機管理装置からの時刻情報要求に応答して配信するので、正確な時刻情報を配信することができる。
【０００８】
前記時刻情報供給手段を、前記遊技機管理装置へのダミーパケット要求時の配信時刻情報と前記遊技機管理装置からのダミーパケット応答時の配信時刻情報との両配信時刻情報の差の２分の１に、配信用時刻情報を加えたものを配信する手段とすることができる。また、この時刻情報供給手段を、前記遊技機管理装置に設定されているＩＰアドレスへのダミーパケット要求時の配信時刻情報と前記ＩＰアドレスからのダミーパケット応答時の配信時刻情報との両配信時刻情報の差の２分の１の平均値を所定数回のパケット要求、応答を繰り返して求め、この求めた平均値に配信用時刻情報を加えたものを配信する手段としても良い。
【００１２】
【発明の実施の形態】
以下、本発明の実施の形態を図面を参照しつつ説明する。
【００１３】
（全体構成）
図１は、本発明の実施形態である時刻情報配信システム１のブロック構成図である。この時刻情報配信システム１は、時刻情報の配信を行う時刻情報配信用サーバー装置１００と１台の遊技機管理装置１０００とが通信網３００によって互いに所要の情報を送受信可能に接続されている。また、所定の場所に立設されている標準電波発信塔２００から送信される標準電波が時刻情報配信用サーバー装置１００で受信可能となるようにされている。なお、本実施形態の説明においては外部装置として遊技機の稼動情報を管理する遊技機管理装置１０００を例にとって説明するがこれ以外の機能を備える情報処理装置を用いても良く、更に、外部装置の台数は複数台としても良い。
【００１４】
（時刻情報配信用サーバー装置１００側の構成）
図２に示すように、時刻情報配信用サーバー装置１００は、電波時計部１１０と、小型コンピュータ部１３０と、これらを接続する時刻情報読出し用Ｉ／Ｆ１２０と、ネットワークタイムサーバー部１４０とを備えている。電波時計部１１０は、標準電波発信塔２００から送信される標準電波を受信する電波受信部１１２と、時刻情報調整部１１４と、調整された時刻情報を保持する時刻情報保持部１１６と、保持されている時刻情報を表示する時刻情報表示部１１８とを備えている。
【００１５】
図５（ａ）に示すように、標準電波発信塔２００からは０時から１時間経過毎にこれを示すハイレベル信号となる標準電波が送信されてくる。電波受信部１１２がこのハイレベル信号を受信すると、時刻調整用信号を時計情報調整部１１４に渡す。この時刻調整用信号を受け取った時刻情報調整部１１４は、時刻情報保持部１１６に保持されている時刻情報を調整して標準時刻情報とする。図３（ｂ）に示す例では、０時、１時、２時、３時において時刻調整用情報ｔｕ１、ｔｕ２、ｔｕ３、ｔｕ４を時刻情報調整部１１４が受け取とる。そして例えばｔｕ２を受け取った場合には時刻情報調整部１１４は時刻情報保持部１１６に保持されている時刻情報を強制的に１時を示すものに調整して保持させる。かくして、電波時計部１１０の時刻情報保持部１１６には極めて正確な時刻情報（標準時刻情報）が保持されることになる。なお、時刻情報は時、分のみならず日付情報、年情報を含むようにしても良い。
【００１６】
次に、図２に示すように、小型コンピュータ部１３０は、配信時刻情報を供給するシステムクロック部１３４と、この配信時刻情報を調整するシステムクロック調整部１３２と、テーブル１３６を備えている。図４に示すようにテーブル１３６には、システムクロック調整部１３２が時刻情報保持部１１６に保持されている時刻情報を読み出すために要するアクセス時間（読出し時間）が設定されている。システムクロック調整部１３２が時刻情報保持部１１６に保持されている時刻情報を読み出した後にこのアクセス時間を加算した時間が、システムクロック部１３４から供給される時刻情報と一致するようにしており、これによってアクセス時間をも考慮した時刻情報の正確さを維持することができる。
【００１７】
次に、図２に示すように、ネットワークタイムサーバー部１４０は、外部装置に時刻情報を配信する時刻情報供給部１４２と、後に説明するテーブル１４４と、通信網３００とのインターフェイスであるイーサーネットＩ／Ｆ１４６とを備えている。外部装置からの時刻情報の要求を受け付けた時刻情報供給部１４２は、システムクロック部１３４が供給する配信時刻情報を得て、これを時刻情報として外部装置に応答、配信するように構成されている。なお、時刻情報の要求や配信に際して通信プロトコルはＴＣＰ／ＩＰ等を使用すれば良いがこれに限られないことは言うまでもない。
【００１８】
（遊技機管理装置１０００側の構成）
図５は、複数の遊技機３０００、…、３０００と、遊技機管理装置１０００とを通信ケーブル４０００によって相互に必要な情報を通信可能に接続した装置構成を示している。
【００１９】
各遊技機３０００、…、３０００は、遊技機に打ち込まれたパチンコ玉数を１０個計数する度に出力するアウト信号、図示しない始動口にパチンコ玉が入賞したことを示すスタート信号、大当り状態を示す大当り発生信号等の各種の稼働情報を通信ケーブル４０００を介して遊技機管理装置１０００に自動的に送信する機能を備えた制御部３１００を有している。
【００２０】
遊技機管理装置１０００は、各遊技機３０００、…、３０００から通信ケーブル４０００を介して送信されてきた稼働情報を受信するためのＩ／Ｏポート１１００と、ＣＰＵ１２００と、ＣＰＵ１２００の処理手順を記述した遊技機管理プログラム１７９０を記憶可能な遊技機管理プログラム記憶部１７２０が形成され同じく後に説明するテーブル１７３１を不揮発的に格納する記憶装置１７００と、記憶装置１７００等から読み出したデータやＣＰＵ１２００が行う演算過程において必要な演算結果を格納するためのＲＡＭ１３００と、必要な指令や選択データ等を入力するための入力装置１５００とを備える。
【００２１】
更に、この遊技機管理装置１０００は、記録媒体としてのＣＤＲＯＭ２０００に記録された遊技機管理プログラム１７９０を読み取りＣＰＵ１２００の指令に従って、遊技機管理プログラム１７９０を遊技機管理プログラム記憶部１７２０に記憶させるＣＤＲＯＭドライブ１６００と、各遊技機の稼働状態の時間経過等を把握可能に表示出力する表示装置１８００と、ＣＰＵ１２００が実行した処理結果等を印刷可能なプリンタ１９００とを備え、各構成要素は相互に必要な情報を授受可能にバス１４００で接続されている。
【００２２】
また、入力装置１５００はキーボードやマウス等の入力デバイスで実現可能であり、また、表示装置１８００はＣＲＴ、液晶表示装置、ＥＬ表示装置等の表示デバイスで実現可能であり、さらに、記憶装置１７００はハードディスク等のストレージデバイスで実現可能であるので、この遊技機管理装置１０００は、パーソナルコンピュータやワークステーション等の１台のコンピュータシステムで構築可能である。
【００２３】
図６は、遊技機管理装置１０００のテーブル領域１７３０に格納されるテーブル１７３１の説明図である。このテーブル１７３１は、台番号と稼動情報とを関連付けて記憶する。図６に示す例では稼動情報としてアウト数（アウト信号を１０回計数した際に１加算する）、スタート数（スタート信号を１回計数した際に１加算する）が記憶されている。なお、各遊技機３０００の制御部３１００からは台番号とこれら稼動情報が送信されるようにされていて、ＣＰＵ１２００がこれらを受信して、テーブル１７３１の対応するエリア内に所要の稼動情報を格納していくことによってテーブル１７３１が構築される。
【００２４】
また、後に説明するように、ＣＰＵ１２００は、時刻情報配信用サーバー装置１００がダミーパケットを送信してくれば、これに応答してダミパケットを時刻情報配信用サーバ０装置１００側に送信するように構成されている。
【００２５】
なお、ＣＤＲＯＭ２０００をＣＤＲＯＭドライブ１６００の図示しない挿入部に挿入すると、ＣＤＲＯＭ２０００に記憶されていた遊技機管理プログラム１７９０がＣＤＲＯＭドライブ１６００に読み取られ、これが遊技機管理プログラム記憶部１７２０に記憶され、以降、ＣＰＵ１２００がこの遊技機管理プログラムを実行することによって遊技機管理装置１０００側での一連の動作が実行される。
【００２６】
（動作説明）
（第１の実施形態）
図７を参照して本実施形態の動作について説明する。ステップＳ７００、ステップＳ７０２に示すように、標準電波発信塔２００からの標準電波を電波受信部１１２が受信するとこれを解読して時刻情報調整指示を与えるか否かを判断し、図３に示すように標準電波がハイレベルになると時刻情報調整指示を時刻情報調整部１１４に与え、これに応答して時刻情報調整部１１４は、時刻情報保持部１１８に保持されている時刻情報を調整して保持する。なお、このような調整は随時行われている。
【００２７】
次いで、システムクロック調整部１３２が、時刻情報保持部１１６に保持されている時刻情報を時刻情報読出し用Ｉ／Ｆ１２０を介して読出すと、保持されている時刻情報が読み出される（ステップＳ７０４、７０６）。次いで、システムクロック調整部１３２は、読み出した時刻情報にテーブル１３６に格納されているアクセス時間を加えたものを正確な時刻情報とし、これがシステムクロック部１３４が供給する配信用時刻情報と一致するように配信用時刻情報を調整する（ステップＳ７０８）。かくして、システムクロック部１３４が供給する配信用時刻情報は標準時刻情報（極めて正確な時分情報）となる。
【００２８】
次いで、遊技機管理装置１０００のＣＰＵ１２００から時刻情報の要求が送信されたきた場合（ステップＳ７１０）には、時刻情報供給部１４２はこれに応答してシステムクロック部１３４が供給する配信用時刻情報を読み出して、これを遊技機管理装置１０００側に、イーサーネットＩ／Ｆ１４６、通信網３００を介して配信する（ステップＳ７１４）。
【００２９】
次に図８を参照して遊技機管理装置１０００のＣＰＵ１２００側の動作について説明する。今、時刻情報を要求してこれに対する応答がされたものとする。先ず、ステップＳ８００において、配信された時刻情報が開店時刻を過ぎたものとなっているか否かを判定する。開店時刻を過ぎている場合（Ｙｅｓ）にはステップＳ８１０に移行して稼動情報の収集を行う。一方、これ以外の場合（Ｎｏ）にはステップＳ８０２に移行して再度、時刻情報の要求を行いステップＳ８００にてウエイト状態となる。
【００３０】
ステップＳ８１０にて一定期間の稼動情報の収集を行った後にステップＳ８２０に移行して再度、時刻情報を要求する。これに対する応答時刻情報が閉店時刻を過ぎたものでない場合（Ｎｏ）にはステップＳ８１０に戻り処理を継続する。一方、これ以外の場合（Ｙｅｓ）にはステップＳ８４０に移行して稼動情報の収集を終了する。そして、ステップＳ８５０においてテーブル１７３１の内容を入力装置１５００の操作によって変更不能とする。具体的には、ＣＰＵ１２００は、テーブル１５００の内容を変更するような命令が入力された場合にはこれを無視するようにする。したがって、収集した稼動情報を用いた営業指数の演算やそれらの出力は行えるが稼動情報は一切変更できない。そして、ＣＰＵ１２００は新たな開店時間を迎えた場合には、このロック状態を解除するよう動作する。
【００３１】
このように第１の実施形態によれば、時刻情報調整部１１４によって調整した正確な時刻情報を時刻情報保持部１１６に保持させておき、システムクロック調整部１３２がこの保持情報に基づいて配信用時刻情報を調整し、時刻情報供給部１４２が、調整された配信用時刻情報を外部装置からの時刻情報要求に応答して配信するので、正確な時刻情報を配信することができる。
【００３２】
また、システムクロック調整部１３２は、時刻情報保持部１１６の保持情報を読み出して、システムクロック部１３４が供給する配信用時刻情報と時刻情報調整部１１４によって調整された時刻情報とが一致するように配信用時刻情報を調整するので、配信用時刻情報を正確に標準時刻情報と合せることができる。
【００３３】
更に、システムクロック調整部１３２は、予め設定された読み出しに要する読み出し時間（図４参照）を読み出した保持情報に加えたものが、時刻情報調整部１１４によって調整された時刻情報と一致するように、配信用時刻情報を調整するので、配信用時刻情報を一層正確に標準時刻情報に合せることができる。
【００３４】
そして、遊技機管理装置１０００のＣＰＵ１２００が、配信された配信時刻情報が閉店時刻（所定時）を超えるものである場合、取得した稼動情報を装置操作によって変更不能にするので、正確な時刻で閉店処理を行えるとともに稼動情報の不正改ざん等を不能とすることができる。
【００３５】
（第２の実施形態）
この実施形態は、ダミーパケットを送受信させて通信網３００上での通信に要する時間を求めこの時間を考慮して時刻情報を配信させるようにした点に特徴がある。図９を参照して動作説明を行う。
【００３６】
ステップＳ９００、ステップＳ９０２に示すように、標準電波発信塔２００からの標準電波を電波受信部１１２が受信するとこれを解読して時刻情報調整指示を与えるか否かを判断し、図３に示すように標準電波がハイレベルになると時刻情報調整指示を時刻情報調整部１１４に与え、これに応答して時刻情報調整部１１４は、時刻情報保持部１１８に保持されている時刻情報を調整して保持する。なお、このような調整は随時行われている。
【００３７】
次いで、システムクロック調整部１３２が、時刻情報保持部１１６に保持されている時刻情報を時刻情報読出し用Ｉ／Ｆ１２０を介して読出すと、保持されている時刻情報が読み出される（ステップＳ９０４、９０６）。次いで、システムクロック調整部１３２は、読み出した時刻情報にテーブル１３６に格納されているアクセス時間を加えたものを正確な時刻情報とし、これがシステムクロック部１３４が供給する配信用時刻情報と一致するように配信用時刻情報を調整する（ステップＳ９０８）。かくして、システムクロック部１３４が供給する配信用時刻情報は標準時刻情報（極めて正確な時分情報）となる。
【００３８】
さて、ステップＳ９１０に示すように遊技機管理装置１０００からの時刻情報配信要求が送信されてきた場合には、時刻情報供給部１４２は、この時点でのシステムクロック部１３４が供給する配信用時刻情報を読出しておく。そして、ステップＳ９１４において、ダミーパケット要求を遊技機管理装置１０００に送信する。なお、このダミーパケットとしては、配信する時刻情報と同程度の容量のデジタルデータとすれば良い。ステップＳ９１６において、ＣＰＵ１２００がこれに応答してダミーパケットを送信してきた場合、時刻情報供給部１４２は、この時点でのシステムクロック部１３４が供給する配信用時刻情報を読出しておく。
【００３９】
そして、ステップＳ９２０において、ステップＳ９１８にて読み出した配信用時刻情報とステップＳ９１２にて読み出した配信用時刻情報との差を求め、その２分の１を遊技機管理装置１０００に時刻情報を配信する際のディレイ時間として求める。次いで、ステップＳ９２２でシステムクロック部１３４が供給する配信用時刻情報を読出し、これに求めたディレイ時間を加えてものを時刻情報として配信する。なお、以降、遊技機管理装置１０００側が行なう動作は図８を参照して説明したものと同じであるため説明を省略する。
【００４０】
したがって、この第２の実施形態によれば、時刻情報供給部１４２は、外部装置へのダミーパケット要求時の配信時刻情報と外部装置からのダミーパケット応答時の配信時刻情報との両配信時刻情報の差の２分の１に、配信用時刻情報を加えたものを配信するので通信網３００等による通信ディレイ時間を考慮して一層正確な時刻情報の配信を行うことができる。
【００４１】
（第３の実施形態）
この実施形態はダミーパケットの送受信を複数回行って求めた平均ディレイ時間を考慮して時刻情報を配信する点に特徴がある。図１０は、図２に示したネットワークタイムサーバー部１４０のテーブル１４４の例の説明図である。このテーブル１４４は、ＩＰアドレスとアドレス別平均ディレイ時間とを対応付けて記憶している。時刻情報供給部１４２は、過去に時刻情報の配信を要求してきた外部装置のＩＰアドレスを要求情報から抽出してこれをテーブル１４４のＩＰアドレスのエリアに格納していく。そして空き時間等を利用して平均ディレイ時間を求めておき求めた平均ディレイ時間をテーブル１４４の対応するエリアに格納する。なお、この動作を実現するための外部装置側にはダミーデータの応答送信機能を備えるようにしている。
【００４２】
図１１を参照して平均ディレイ時間の求め方について説明する。先ず、ＩＰアドレスが「アドレス１」の外部装置の平均ディレイ時間を求めるものとする。ステップＳ１１００、ステップＳ１１０２に示すように時刻情報供給部１４２が、システムクロック部１３４が供給する配信時刻情報を読み出す（これをＸ２とする）とともに、アドレス１の外部装置にダミーパケットを送信する。なお、この実施形態においてもダミーパケットは配信する時刻情報と同じ容量のデジタルデータとするのが好ましい。
【００４３】
外部装置からダミーパケットの応答、送信があった場合（ステップＳ１１０４）、時刻情報供給部１４２はこの時の配信時刻情報を読み出す（これをＹ１とする）。ステップＳ１１０８ではＸ２とＸ１の差の時間を求めこの２分の１をディレイ時間として求める。このようなダミーパケットの送受信からディレイ時間を求める処理を複数回（Ｎ回）行って得られたディレイ時間をＮで除算して平均ディレイ時間を求め（ステップＳ１１１０）、これをテーブル１４４におけるアドレス１に対応するエリアに格納する。
【００４４】
次にＩＰアドレスが「アドレス２」の外部装置に対する平均ディレイ時間も求める。ステップＳ１２００、ステップＳ１２０２に示すように時刻情報供給部１４２が、システムクロック部１３４が供給する配信時刻情報を読み出す（これをＸ３とする）とともに、アドレス１の外部装置にダミーパケットを送信する。
【００４５】
外部装置からダミーパケットの応答、送信があった場合（ステップＳ１２０４）、時刻情報供給部１４２はこの時の配信時刻情報を読み出す（これをＸ４とする）。ステップＳ１１０８ではＸ４とＸ３の差の時間を求めこの２分の１をディレイ時間として求める。このようなダミーパケットの送受信からディレイ時間を求める処理を複数回（Ｎ回）行って得られたディレイ時間をＮで除算して平均ディレイ時間を求め（ステップＳ１２１０）、これをテーブル１４４におけるアドレス２に対応するエリアに格納する。
【００４６】
このような動作をＩＰアドレスを替えて同様に行っていくと、図１０に示すテーブル１４４が構築される。図１２は、一例としてＩＰアドレス「アドレス１」の外部装置からの時刻情報配信要求が送信されてきた場合（ステップＳ１２５０）の動作の説明図である。時刻情報供給部１４２は、要求情報内のＩＰアドレスである「アドレス１」を抽出して、テーブル１４４においてアドレス１に対応する平均ディレイ時間を索出する（ステップＳ１２５２）。この例では、平均ディレイ時間ＤＹ１が索出される。
【００４７】
次いで、システムクロック部１３４が供給する配信時刻情報を読み出して（ステップＳ１２５４）、これに索出した平均ディレイ時間ＤＹ１を加算したものを時刻情報として外部装置に配信する（ステップＳ１２５６）。
【００４８】
したがって、この実施形態３によれば、時刻情報供給部１４２が、外部装置に設定されているＩＰアドレスへのダミーパケット要求時の配信時刻情報とＩＰアドレスからのダミーパケット応答時の配信時刻情報との両配信時刻情報の差の２分の１の平均値を所定数回（Ｎ回）のパケット要求、応答を繰り返して求め、この求めた平均値に配信用時刻情報を加えたものを配信するので、通信網３００等による通信ディレイ時間を考慮して極めて正確な時刻情報の配信を行うことができる。
【００４９】
以上説明した第２、３の実施形態のように、時刻情報供給部１４２を外部装置へのダミーパケット要求からダミーパケット応答までに要する時間を考慮した配信用時刻情報を外部装置に配信するようにしてして一層正確な時刻情報を配信することが可能となる。また、時刻情報調整部１１４は、外部からの標準電波で示される標準時刻調整用情報に基づいて時刻情報を標準時刻に調整するので極めて簡単な構成で標準時刻への調整を行うことができる。
【００５０】
図１３、図１４は、図１に示す時刻情報配信用サーバー装置１００の主要部のハードウエア構成図である。図１３に示す構成では、ＣＰＵ１３００と、動作プログラム１３１２を記録した記録媒体としてのＨＤ１３１０と、ネットワークドライド１３５０とを有し、これらが相互に所要の情報を通信可能にバス１３４０で接続されている。なお、実運用時には不要であるが、メンテナンス等の利便性のためにも、キーボード１３２０と、ＣＲＴ１３３０とを接続しても良い。また、図１４に示す別の構成では、ＣＲＴ１３３０の替わりに時刻情報保持部またはシステムクロック部のいずれかの時刻情報を表示する事のみを目的とした７セグＬＥＤアレイ１３６０等の単純な時刻表示ディスプレイとし、更に、動作プログラムの記録媒体１３７０としてのＥＰＲＯＭまたはフラシュメモリ等、記録内容が書き替え可能で振動に強い半導体デバイスを採用することにより、小型、且つ、可搬性に優れたハードウエアを実現できる。上記、いずれの構成においてもＣＰＵ１３００が、動作プログラム１３１２を実行することによって、以上説明してきたような各種の処理が実行される。
【００５１】
即ち、ＣＰＵ１３００は、動作プログラム１３１２を実行して、標準時刻調整用情報に基づいて調整した時刻情報を時刻情報保持部１１４保持しておく処理と、  この保持された時刻情報に基づいて、システムクロック部１３４が供給する配信用時刻情報を調整する処理と、この調整された配信用時刻情報を外部装置からの時刻情報要求に応答して配信する処理と、を含む処理を実現することができる。
【００５２】
なお、以上本発明の実施形態を説明してきたが、本発明の要旨を逸脱しない範囲内で、上記各実施の形態に対して種々の変形や変更を施すことが可能である。例えば、平均ディレイ時間を求める処理回数をＩＰアドレス毎に設定すること（その設定回数は使用頻度が高いＩＰアドレスに対するもの程多くする）、外部装置として遊技機管理装置１００以外の装置を採用すること、標準電波を図３（ａ）以外のものとして更に詳細に時間調整可能とすること、等が挙げられる。
【００５３】
さらに、以上説明したきた本発明の実施の形態のように、ＣＰＵ１２００が、ＣＤＲＯＭドライブ１６００から読み取った、ＣＤＲＯＭ２０００に記録されている遊技機管理プログラム１７９０の総てを記憶装置１７００に一度にダウンロードするようにして、ダウンロードされた遊技機管理プログラム１７９０をＣＰＵ１２００が実行するようにしても良いし、また、ＣＰＵ１２００がＣＤＲＯＭ２０００に記録されている遊技機管理プログラム１７００を所定量ずつ読み出してＲＡＭ１３００に一時格納していったものを順次読み出して実行するようにしても良い。
【００５４】
いずれにしてもＣＤＲＯＭ２０００に記録されている遊技機管理プログラム１７９０をＣＰＵ１２００が実行するようにして本実施形態の処理を実行することが可能である。なお、この発明に係る処理の少なくとも一部を装置１００側に予めインストールしておいたＯＳやミドルウエアや他のアプリケーション等に実行させても良い。
【発明の効果】
以上説明してきたように、本発明によれば、正確な時刻情報を配信することができるという効果が得られる。
【図面の簡単な説明】
【図１】本発明の実施の形態である時刻情報配信システム１の構成図である。
【図２】標準電波発信塔２００からの標準電波を送信を受ける時刻情報配信用サーバー装置１００のブロック構成図である。
【図３】電波受信部１１２、時刻情報調整部１１４の動作の説明図である。
【図４】テーブル１３６の説明図である。
【図５】遊技機管理装置１０００のブロック構成図である。
【図６】稼動情報用テーブル１７３１の説明図である。
【図７】第１の実施形態の動作例の説明図である。
【図８】遊技機管理装置１０００側の動作を説明するフローチャートである。
【図９】第２の実施形態の動作例の説明図である。
【図１０】第３の実施形態で用いるテーブル１４４の説明図である。
【図１１】第３の実施形態の動作例の説明図である。
【図１２】第３の実施形態の動作例の説明図である。
【図１３】時刻情報配信用サーバー装置１００のハードウエア構成図である。
【図１４】時刻情報配信用サーバー装置１００の他のハードウエア構成図である。
【符号の説明】
１  時刻情報配信システム
１００  時刻情報配信用サーバー装置
１１０  電波時計部
１１２  時刻情報調整部
１１４  時刻情報保持部
１１６  時刻情報表示部
１２０  時刻情報読出し用Ｉ／Ｆ
１３０  小型コンピュータ部
１３２  システムクロック調整部
１３４  システムクロック部
１３６  テーブル
１４０  ネットワークタイムサーバー部
１４２  時刻情報供給部
１４４  テーブル
１４６  イーサーネットＩ／Ｆ
２００  標準電波発信塔
３００  通信網
１０００  遊技機管理装置
１１００  Ｉ／Ｏポート
１２００  ＣＰＵ
１３００  ＲＡＭ
１４００  バス
１５００  入力装置
１６００  ＣＤＲＯＭドライブ
１７００  記憶装置
１７２０  遊技機管理プログラム記憶部
１７３０  テーブル領域
１８００  表示装置
１９００  プリンタ
２０００  ＣＤＲＯＭ
３０００  遊技機
３１００  制御部
４０００  通信ケーブル
【図１】
0003542034.tif 000002
【図２】
0003542034.tif 000003
【図３】
0003542034.tif 000004
【図４】
0003542034.tif 000005
【図５】
0003542034.tif 000006
【図６】
0003542034.tif 000007
【図７】
0003542034.tif 000008
【図８】
0003542034.tif 000009
【図９】
0003542034.tif 000010
【図１０】
0003542034.tif 000011
【図１１】
0003542034.tif 000012
【図１２】
0003542034.tif 000013
【図１３】
0003542034.tif 000014
【図１４】
0003542034.tif 000015